(57)【要約】【課題】データの容量を抑制した容易にユーザが参照することができる３次元画像データを生成し、直感的に装置のプロパティ情報を参照できるようにするナレッジ取得支援装置を提供する。【解決手段】実在の装置を撮影した１又は複数の画像データ１１を記憶する画像データ記憶部１と、装置についての少なくとも線情報を具備した３次元データ２１を記憶する３次元データ記憶部２と、画像データ１１と３次元データ２１とを照合してそれらの対応関係を算定する対応関係算定部３と、対応関係に基づいて、前記３次元データ２１における各表面に画像データ１１の対応部分を貼り付け、装置についての表面画像情報を有した新たな３次元データである画像付３次元データ４１を生成する画像付３次元データ生成部４と、画像付３次元データの表面画像情報に対応付けて、表面画像情報Ｓに関するプロパティ情報を記憶するプロパティ情報記憶部５と、前記プロパティ情報を出力する出力部７と、を具備した。【選択図】図1
2010026882.tif 000002
【特許請求の範囲】
【請求項１】
実在の装置を撮影した１又は複数の画像データを記憶する画像データ記憶部と、
前記装置についての少なくとも線情報を具備した３次元データを記憶する３次元データ記憶部と、
前記画像データと３次元データとを照合してそれらの対応関係を算定する対応関係算定部と、
前記対応関係に基づいて、前記３次元データにおける各表面に前記画像データの対応部分を貼り付け、当該装置についての表面画像情報を有した新たな３次元データである画像付３次元データを生成する画像付３次元データ生成部と
前記画像付３次元データの表面画像情報に対応付けて、当該表面画像情報に関するプロパティ情報を記憶するプロパティ情報記憶部と、
前記プロパティ情報を出力する出力部と、を具備していることを特徴とするナレッジ取得支援装置。
【請求項２】
前記プロパティ情報を受け付けるプロパティ情報受付部を備えた請求項１記載のナレッジ取得支援装置。
【請求項３】
前記プロパティ情報受付部は、前記画像付３次元データの中から選択された前記表面画像情報に対応付けて前記プロパティ情報を受け付けるものである請求項１又は２記載のナレッジ取得支援装置。
【請求項４】
実在の装置を撮影した１又は複数の画像データを記憶する画像データ記憶部と、前記装置についての少なくとも線情報を具備した３次元データを記憶する３次元データ記憶部と、を利用するものであって、
前記画像データと３次元データとを照合してそれらの対応関係を算定する対応関係算定部と、前記対応関係に基づいて、前記３次元データにおける各表面に前記画像データの対応部分を貼り付け、当該装置についての表面画像情報を有した新たな３次元データである画像付３次元データを生成する画像付３次元データ生成部と、
前記画像付３次元データの表面画像情報に対応付けて、当該表面画像情報に関するプロパティ情報を記憶するプロパティ情報記憶部を利用して、前記プロパティ情報を出力する出力部としての機能をコンピュータに発揮させるナレッジ取得支援装置用プログラム。
【発明の詳細な説明】
【技術分野】
【０００１】
本発明は、実在の装置に関する運用支援などを行うナレッジ取得支援装置に関するものである。
【背景技術】
【０００２】
現在、分析装置などは高度化、複雑化しているため、ユーザが部品の交換などを行おうとすると、どこに交換すべき部品があり、どのような手順で交換を行えばよいのか分かりにくいことがある。
【０００３】
また、部品の交換などに限られず、マニュアルや電話対応だけでユーザが機器のチェックや操作を行うことは非常に難しい。
【０００４】
そのような問題を解決するために、コンピュータ上にバーチャルな製品の３次元画像データを作成し、その画像をユーザに参照してもらいながら説明が行えるようにすることが考えられる。
【特許文献１】特開２００５−１９０２１７号公報
【発明の開示】
【発明が解決しようとする課題】
【０００５】
しかしながら、通常、製造者が所有している製品の３ＤＣＡＤデータは、外形や寸法などの情報は詳細に書き込まれているが、表面の色や配線、機器の動作チェック用の圧力計などの細かい情報について書き込まれていることは少ない。つまり、３ＤＣＡＤデータは、実際の製品と比べると、外形などの情報は一致していても、表面の情報は不足している。
【０００６】
そのため、ユーザに分かりやすく説明が行えるようにするには、新たに表面の情報まで有した３次元画像データを新たに作らなくてはならず、非常に手間とコストがかかる。
【０００７】
また、仮に表面の情報まで有した３ＤＣＡＤデータがあったとしても、データ量が大きくなりすぎるため、ユーザの所有するコンピュータでは処理に時間がかかりすぎ、説明のための使用に耐えないことが多い。
【０００８】
本発明はかかる点に鑑みて行われたものであって、少なくとも線情報を有する３次元データから、表面の情報を有した３次元画像データを簡単に低コストで生成することができ、その３次元画像データの容量を抑制して、容易にユーザが参照することができ、直感的に装置の運用に関わる情報を３次元画像データから参照できるようにするナレッジ取得支援装置を提供することを主たる所期課題としたものである。
【課題を解決するための手段】
【０００９】
かかる課題を解決するために本発明は次のような手段を講じたものである。
【００１０】
すなわち、本発明のナレッジ取得支援装置は、実在の装置を撮影した１又は複数の画像データを記憶する画像データ記憶部と、前記装置についての少なくとも線情報を具備した３次元データを記憶する３次元データ記憶部と、前記画像データと３次元データとを照合してそれらの対応関係を算定する対応関係算定部と、前記対応関係に基づいて、前記３次元データにおける各表面に前記画像データの対応部分を貼り付け、当該装置についての表面画像情報を有した新たな３次元データである画像付３次元データを生成する画像付３次元データ生成部と、前記画像付３次元データの表面画像情報に対応付けて、当該表面画像情報に関するプロパティ情報を記憶するプロパティ情報記憶部と、前記プロパティ情報を出力する出力部と、を具備していることを特徴とする。
【００１１】
また、本発明のナレッジ取得支援装置用プログラムは、実在の装置を撮影した１又は複数の画像データを記憶する画像データ記憶部と、前記装置についての少なくとも線情報を具備した３次元データを記憶する３次元データ記憶部と、を利用するものであって、前記画像データと３次元データとを照合してそれらの対応関係を算定する対応関係算定部と、前記対応関係に基づいて、前記３次元データにおける各表面に前記画像データの対応部分を貼り付け、当該装置についての表面画像情報を有した新たな３次元データである画像付３次元データを生成する画像付３次元データ生成部と、前記画像付３次元データの表面画像情報に対応付けて、当該表面画像情報に関するプロパティ情報を記憶するプロパティ情報記憶部を利用して、前記プロパティ情報を出力する出力部としての機能をコンピュータに発揮させることを特徴とする。
【００１２】
このようなものであれば、実在の装置を撮影した画像データと、前記装置についての少なくとも線情報を具備した３次元データから、それらの対応関係を算定し、前記３次元データにおける各表面に前記画像データの対応部分を貼り付けて表面画像情報を有した画像付３次元データを生成することができる。
【００１３】
したがって、少なくとも線情報を有した３次元データを用意し、実在の装置を撮影するだけで、実在の装置と同じ表面画像情報を有した画像付３次元データを生成することができるので、実在の装置における表面の情報を予め有した３次元データを用意する必要がなくなり、詳細な情報を有した３次元データを作成する手間とコストを省くことができる。
【００１４】
また、画像付３次元データは、線情報を有した３次元データの各表面に画像を貼り付けてあるだけなので、そのデータの容量が大きくなるのを防ぐことができ、コンピュータ上で速く処理を行うことができるようになり、機器の操作説明などに画像付３次元データを使用して分かりやすく説明することができる。
【００１５】
さらに、対応関係算定部によって画像データと３次元データとの対応関係が算定されるので、人がそれらの対応関係を考えることや、例えば対応する頂点を指示して画像を貼り付けるといった作業を行う事無く、画像付３次元データを自動で生成することができる。
【００１６】
また、前記画像付３次元データの表面画像情報に対応付けて、当該表面画像情報に関するプロパティ情報を記憶するプロパティ情報記憶部を備えており、そのプロパティ情報を出力部が出力するので、例えば、ユーザが画像付３次元データの表面画像を選択して、実在の装置の操作方法や機器の説明を容易に参照することができる。
【００１７】
予め設定されたプロパティ情報だけでなく、あとでプロパティ情報を追加できるようにし、前記プロパティ情報記憶部に記憶されているデータベースなどを拡張できるようにするには、前記プロパティ情報を受け付けるプロパティ情報受付部を備えているものであればよい。
【００１８】
前記プロパティ情報を表面画像情報ごとにプロパティ情報記憶部に記憶させて、それぞれの機器ごとに情報を追加できるようにするには、前記プロパティ情報受付部は、前記画像付３次元データの中から選択された前記表面画像情報に対応付けて前記プロパティ情報を受け付けるものであればよい。
【００１９】
実在の装置をその場で撮影し、すぐに画像付３次元データを生成できるようにするには、実在の装置を撮影する撮影装置を備えたものであればよい。
【発明の効果】
【００２０】
このように構成した本発明によれば、実在の装置を撮影した画像データと少なくとも線情報を具備した３次元データとから、それらの対応関係を対応関係算定部が自動で算定し、表面画像情報を有した画像付３次元データを生成することができるので、予め実在の装置の表面画像情報を反映した画像付３次元データを作成する手間やコストを省くことができる。さらに、少なくとも線情報を有した３次元データの各表面に画像データを貼り付けてあるだけなので、画像付３次元データの容量が大きくなりすぎるのを防ぐことができ、機器の説明などに画像付３次元データを容易に用いることができるようになる。また、表面画像情報に対応付けてプロパティ情報が記憶されているので、ユーザが表面画像を選択して、それに関連する操作説明などを容易に参照できる。
【発明を実施するための最良の形態】
【００２１】
以下、本発明の一実施形態について図面を参照して説明する。
【００２２】
本実施形態に係る前記ナレッジ取得支援装置１００は、実在の装置の名称、操作方法、製造方法、スペックの全て又は一部を含むプロパティ情報を出力することによってナレッジの取得を支援するものである。より具体的には、図１に示すように画面上に、実在の装置の表面画像情報Ｓを有した画像付３次元データ４１を表示し、ユーザがカーソルＣＬによって選択した各部分の名称や操作手順などの説明を表示するように情報処理装置を利用して構成してあるものである。
【００２３】
前記ナレッジ取得支援装置１００は、実在の装置を撮影する撮影装置であるカメラＣと、ナレッジ取得支援装置用プログラムを実行する情報処理装置ＣＯＭを備えている。前記ナレッジ取得支援装置用プログラムは、図２の機能ブロック図に示されるように、前記カメラＣによって撮影された実在の装置の画像データ１１を記憶する画像データ記憶部１と、前記装置の線情報を具備した３次元データ２１を記憶する３次元データ記憶部２とを利用して、前記画像データ１１と前記３次元データ２１とを照合してそれらの対応関係を算定する対応関係算定部３と、前記対応関係に基づいて前記画像データ１１と前記３次元データ２１から当該装置についての表面画像情報Ｓを有した画像付３次元データ４１を生成する画像付３次元データ生成部４と、前記プロパティ情報を受け付けるプロパティ情報受付部６と、出力部の一例である前記画像付３次元データ４１と前記プロパティ情報を画面上に表示させる表示部７としての機能を発揮し、前記画像付３次元データ４１の表面画像情報Ｓに対応付けて、当該表面画像情報Ｓに関するプロパティ情報をプロパティ情報記憶部５に記憶するように構成してある。
【００２４】
以下の説明では、実在の装置が分析装置、例えば、元素分析装置である場合を例として説明を行う。
【００２５】
前記カメラＣは、カメラＣ自身の傾きを検出することができる３軸の傾斜計を備えたものであり、実在の装置を撮影した際に、その傾きの情報を撮影した画像データ１とともに保存するものである。
【００２６】
情報処理装置ＣＯＭは、ＣＰＵ、メモリ、ディスプレイなどの出力機器、キーボードやマウスなどの入力機器等を備えた、例えば汎用のコンピュータであり、前記メモリに記憶されたナレッジ取得支援装置用プログラムに従って、ＣＰＵやその他の周辺機器が協働することにより、ナレッジ取得支援装置１００としての機能を発揮する。
【００２７】
前記画像データ記憶部１は、例えば、図３に示されるような実在の装置である分析装置の画像データ１１を複数記憶するものである。この画像データ１１は、後述する３次元データ２１の全ての面（６面が好適だが、少なくともそのうちの一部の面のみでも良い）の情報が得られるように、前記分析装置の周囲から撮影されたものが、複数用意してある。
【００２８】
なお、画像データ１１には簡単のために、分析装置のみを撮影した例を挙げているが、分析装置の周囲に別の機器などが写っていても構わない。すなわち、実在の装置が単独で写っている必要はない。また、画像データ１１は装置の実在の装置の複数面（３面）を同時に撮影したものではなくとも、ある一面のみを撮影したものであってもよい。
【００２９】
前記３次元データ記憶部２は、例えば、図４に示されるような、前記分析装置の外形を示す３ＤＣＡＤデータを３次元データ２１として記憶している。この３ＤＣＡＤデータは三角形要素ＰＬで構成されているものであり、外形の線情報を有しており、その面の色や質感などの画像情報については有していない。ここで、線情報について詳述すると、例えば、分析装置の稜線を表すものであり、分析装置の頂点について３次元座標として記憶しておき、どの点同士を結ぶものであるかを記憶しているものである。また、三角形要素ＰＬの頂点の座標と、それらの頂点を結ぶ直線に関する情報であってもよい。この３ＤＣＡＤデータはマウス操作などによって、その視点を自由に変更し、様々な角度から見ることができるように構成してある。
【００３０】
前記対応関係算定部３は、２次元の画像データ１１と３次元の３次元データ２１との間の対応関係を算定するものである。
【００３１】
２次元の画像データと３次元のモデル（３次元データ）との間の対応関係を算定する方法は様々な方法が提案されている。一例としては実在の装置上におけるｎ箇所の既知ポイントを設定しておき、画像データ中のカメラに対する装置の相対的な姿勢及び位置を示す量であるポーズを算出する透視ｎ点解法を利用して、２次元の画像データ中の装置と３次元のモデルとの間の対応関係を算定するものが知られている。
【００３２】
本実施形態の対応関係算定部３は、画像データ１１中の装置の稜線を線情報として検出し、その線情報と、３次元データ２１のコンピュータ内の位置及び姿勢を変化させながら、前記画像データ１１が撮影されたカメラの画面に投影し２次元データとしたときの線情報とを比較するものである。そして、それら線情報が最も一致したときの３次元データ２１のコンピュータ内での位置及び姿勢から、画像データ１１中の装置のカメラからの位置や姿勢を示す量であるポーズを決定し、画像データ１１中の装置のある稜線が、３次元データ２１のどの稜線と一致するのかを判別して対応関係を算定するものである。
【００３３】
より具体的には、対応関係算定部３は実在の装置に既知のポイントを設定する事無く、ハフ変換によって画像データ１１の中の装置の外形を示す線情報を検出することを前提としている。そして、検出された線情報から画像データ１１中の装置のポーズを算出し、装置の３次元データ２１との対応関係を算定するために、次の３つのステップを行うものである。３つのステップは、画像データ１１中の装置のポーズについて複数の仮説を立てる仮説ステップと、最も適切なポーズを選択するためにそれぞれのポーズの仮説を評価する評価ステップと、選ばれた候補のポーズを改善する改善ステップとから構成してある。
【００３４】
仮説ステップでは、カメラＣの座標軸と画像データ１１中の装置の座標軸間の回転行列及び並進行列を計算することによって画像データ１１中の装置のポーズを算出する。ここで、カメラＣに設けてある傾斜計から得られる値によって、回転行列は精度良く近似することができるので、並進行列のみを数値計算によって求めればよい。並進行列の計算によって画像データ１１中の装置のポーズについて複数の仮説が立つことになる。
【００３５】
評価ステップでは、３次元データ２１がカメラの画面である２次元平面に投影された投影モデルの線情報と、画像データ１１の線情報とがどれだけ一致しているかによって、数値計算によって求められた前記ポーズの評価を行いランク付けする。
【００３６】
改善ステップでは、評価ステップで最もランクの高い候補の前記ポーズについて、そのポーズから改善されたポーズまでの仮想的な距離を考慮することによって計算されたポーズの改善を行う。
【００３７】
以上より、対応関係算定部３は計算されたポーズから画像データ１１と３次元データ２１との間の対応関係を算定する。
【００３８】
前記画像付３次元データ生成部４は、前記対応関係算定部３によって算定された対応関係に基づいて、図４に示される前記３次元データ２１の各面に、図３に示されるような画像データ１１の対応する部分をテクスチャとして貼り付けて、図５及び図６に示されるような画像付３次元データ４１を生成するものである。詳述すると、３次元データの各面は、例えば、面を構成する頂点から算出される重心などを代表点として有しており、前記画像付３次元データ生成部４は、テクスチャとして貼り付けられている各面の表面画像情報Ｓにその代表点に関する情報も付加して画像付３次元データ４１を生成する。三角形要素ＰＬの面ごとに、画像データ１１を貼り付け、その三角形要素ＰＬの代表座標を表面画像情報Ｓに付加しておいても良い。この画像付３次元データ４１は、３次元データ２１に基づいたものなので、前記３次元データ２１と同様にマウス操作などによって、自由に視点を変更して、さまざまな方向から見ることができる。また視点の変更に応じて、再び対応関係算定部２が対応関係を算定し、各表面に貼り付けてある画像データ１１の見え方も変化するように構成してある。
【００３９】
前記プロパティ情報記憶部５は、前記画像付３次元データ４１の表面画像情報Ｓに対応付けて、その表面画像情報Ｓにある機器の名称、操作手順、部品の交換手順、それらの手順を説明する動画などの情報であるプロパティ情報を記憶するものである。プロパティ情報は、実在の装置について使用したり、整備したりするのに必要な知識や情報に関するものであって、その他にも、製造情報として、製造年月日、製造工場や、整備に関する情報として、定期点検の予定日、定期点検結果の履歴、測定機器の校正履歴、校正手順、校正者の氏名、整備責任者の氏名、エラーメッセージの履歴、故障の回数、頻度、異常が起こっている場合の警告メッセージ、その対策などの情報を含むものであっても構わない。前述したように、前記画像付３次元データ４１の表面画像情報Ｓは、貼り付けられた面について代表座標に関する情報を有しているので、プロパティ情報は、コンピュータ上の３次元座標と関連付けられることになる。従って、カーソルＣＬの画面上での２次元位置座標からそれに対応する画像付３次元データ４１上の３次元座標データを計算し、どの表面画像情報Ｓが選択されているのかを判断して、その表面画像情報Ｓに対応付けられているプロパティ情報を表示することができる。
【００４０】
前記プロパティ情報受付部６は、前記画像付３次元データ４１の表面画像情報Ｓを画面上のカーソルＣＬによって選択すると、その表面画像情報Ｓに対応付けて、新たなプロパティ情報を受け付けて、前記プロパティ情報記憶部５に記憶させるように構成してある。また、予めプロパティ情報が記憶されているものだけに限られず、全くプロパティ情報がなかった部位にも新たにプロパティ情報を追加できるように構成してある。具体的な操作や表示態様については、後述する表示部７の説明と合わせて行う。
【００４１】
また、表示部７は、複雑な作業工程を説明するプロパティ情報を有した表面画像情報ＳがカーソルＣＬによって選択された場合には、図１に示されるように、画面に分析装置の画像付３次元データ４１を表示する画像付３次元データ表示領域７１と、その画像付３次元データ４１の選択された表面画像情報Ｓやそれの動作、取り扱いに関する説明を表示するメッセージ表示領域７２と、選択された表面画像情報Ｓに関する動画を再生する動画再生領域７３と、部品の交換手順などのフローチャートを表示するフローチャート表示領域７４が区成して画像付３次元データ４１とプロパティ情報を表示するものである。
【００４２】
前記表示部７は、通常表示時には、前記画像付３次元データの表面画像情報Ｓをユーザ又は製造者がカーソルＣＬで選択すると、図７に示すように、選択された機器に選択ポインタＰが表示されて、それらの名称や簡単な操作説明などのプロパティ情報を前記プロパティ情報記憶部５から読み出し、画面上にポップアップＨとして表示するものである。
【００４３】
さらに、表示部７は、プロパティ情報追加時には、図８に示すように、表面画像情報ＳをカーソルＣＬで選択すると、その部位に選択ポインタＰＮが表示され、合わせて入力領域としてのポップアップＨＮを表示する。この入力領域にプロパティ情報を記入することによって、前記プロパティ情報受付部６が表面画像情報Ｓに対応付けてプロパティ情報記憶部５に記憶させる。このようにして、新規のプロパティ情報を追加したり、既存のプロパティ情報の修正や追加を行ったりすることができる。
【００４４】
次に図１に示されるような分析装置のダストフィルタの交換を例にして、ナレッジ取得支援装置１００の動作について説明する。
【００４５】
まず、画面のそれぞれの表示領域に表示する情報の準備段階について説明する。
【００４６】
製造者は、すでに完成している実在の分析装置を前記カメラＣによって様々な方向から撮影し、前記画像データ記憶部１に図３に示されるようなその分析装置の画像データ１１を複数記憶させておく。
【００４７】
併せて、製造者は、設計段階で作成されている分析装置の３ＤＣＡＤデータを３次元データ２１として３次元データ記憶部２に記憶させておく。このとき３ＤＣＡＤデータは、図３に示されるように少なくとも線情報を含むものであり、表面の色や、細部の配線、計器類などの詳細な情報については有していない。
【００４８】
次に、特定の前記画像データ１１と前記３次元データ２１とについて、前記対応関係算定部３がその対応関係について算定する。
【００４９】
その対応関係に基づいて、前記画像付３次元データ生成部４は、前記３次元データ２１の各面に前記画像データ１１の対応する部分をテクスチャとして貼り付けて、図５及び６のような画像付３次元データ４１を生成する。
【００５０】
製造者は、カーソルＣＬ及び選択ポインタＰＮなどを使用し、表面画像情報Ｓの該当部分を指定して、図８のような入力領域のポップアップＨＮにプロパティ情報を記入し、前記プロパティ情報受付部６は、前記画像付３次元データ４１の前記指定された部分の表面画像情報Ｓと、当該部分の機器の名称、操作手順のフローチャート、操作に関連する動画などのプロパティ情報の関連付けを行い、それらを前記プロパティ情報記憶部５に記憶させる。
【００５１】
以上で、製造者側の準備段階が完了する。
【００５２】
次に、実在の分析装置からダストフィルタ交換を促すアラームが通知されて、ユーザが画像分析装置を使用して、交換手順などを調べる場合の動作について説明する。
【００５３】
ユーザがカーソルＣＬによって前記画像付３次元データ４１の表面画像情報Ｓであるダストフィルタ格納部を選択する、または図示しないダストフィルタ交換に関するシーケンスボタンを選択すると、メッセージ表示領域７２、動画再生領域７３、フローチャート表示領域７４に表示される関連情報がプロパティ情報記憶部５から読み込まれて、表示部７が画面上に表示する。
【００５４】
ユーザは、メッセージ表示領域７２、動画再生領域７３、フローチャート表示領域７４に表示されるダストフィルタの交換に関する情報や、マウス操作などによって見る方向を変化させつつ前記画像付３次元データ４１を参照しながら、実際の交換作業を行い、ダストフィルタ交換を終了する。
【００５５】
その他の動作について説明すると、別の機器などについてユーザが選択した表面画像情報Ｓについて詳細なプロパティ情報がプロパティ情報記憶部５に記憶されていない場合には、その旨が製造者側に伝達される。製造者は、図８に示すようにカーソルＣＬによって該当する表面画像情報Ｓを選択し、そこに現れたポップアップの入力領域に新たなプロパティ情報を記入する。そして、プロパティ情報受付部６が入力されたプロパティ情報を表面画像情報Ｓに関連させてプロパティ情報記憶部５に記憶させることにより、データベースを拡張していくことができる。
【００５６】
このように、本実施形態のナレッジ取得支援装置１００によれば、実在の装置をカメラＣで撮影した画像データ１１と、予め所有している少なくとも線情報を具備した３ＤＣＡＤデータである３次元データ２１とから、それらの対応関係が自動で算定されて、３ＤＣＡＤデータの表面情報として前記画像データ１１の対応する部分がテクスチャとして貼り付けられた画像付３次元データ４１を生成することができる。
【００５７】
さらに、対応関係算定部３が自動で対応関係を算定するので、人がカメラＣによって撮影した画像データ１１と、３ＤＣＡＤデータの対応関係を正確に算出して、テクスチャとして貼り付けるといった作業が不要であるので、効率的に画像付３次元データ４１を生成することができる。
【００５８】
また、設計段階で作成される３ＤＣＡＤデータには通常あまり反映されていない表面の色や、配線などの詳細な情報が、実在の装置から表面画像情報Ｓとして追加されるので、予め詳細な３ＤＣＡＤデータを作成しなくてもよい。したがって、新たに詳細な３ＤＣＡＤデータを作成する手間とコストを省くことができる。
【００５９】
また、マーケティング上の戦略などで、表面のデザインなどが変更された場合などでも、再び実在の装置をカメラＣで撮影しなおすことで、３ＤＣＡＤデータを新たに作ったり、更新したりすることなく、すぐに画像付３次元データ４１の表面画像情報Ｓを新しいものにすることができる。
【００６０】
さらに、画像付３次元データ４１は、線情報を具備した３ＤＣＡＤデータである３次元データ２１に、画像データ１１の対応する部分を各表面に付加しただけであるので、データの容量が全てのデータを３ＤＣＡＤで作った場合に比べて格段に小さくなり、処理能力の小さいコンピュータにおいても軽快に動作させやすい。したがって、ユーザに過度の負担を強いる事無く、画像付３次元データ４１を用いて機器の操作説明などを参照してもらうことができるようになる。
【００６１】
加えて、表面画像情報Ｓに対応付けて、プロパティ情報がプロパティ情報記憶部５に記憶されており、例えば、機器の名称などを知らなくても、ユーザが図１又は図７に示すようにカーソルＣＬによって画像付３次元データ４１の表面画像情報Ｓを選択して、直感的にプロパティ情報を参照することができる。
【００６２】
また、表面画像情報Ｓにプロパティ情報がない、あるいは、情報が不足している場合には、図８に示すように製造者は対応する表面画像情報Ｓを選択し、その部位に関して表示された入力領域に新たなプロパティ情報を追加することによって、プロパティ情報受付部６が表面画像情報Ｓに関連付けてプロパティ情報をプロパティ情報記憶部５に追加し、データベースを拡張していくことができる。
【００６３】
なお、本発明は前記実施形態に限定されるものではない。３次元データ記憶部に記憶させる３次元データは、線情報のみを具備したものに限られない。例えば、面についての情報を一部有した３ＤＣＡＤデータを用いても構わない。
【００６４】
前記実施形態では、ダストフィルタの交換を例にした動作説明を行ったが、プロパティ情報はそのようなものに限られない。例えば、装置の操作方法や、ある機器が何であるかを示すなど、装置に関わる様々な情報を含むものである。
【００６５】
また、プロパティ情報受付部によって、製造者がプロパティ情報を追加する例について説明を行ったが、ユーザが操作方法のメモ書きなどをプロパティ情報として追加できるようにしても構わない。加えて、ユーザが実在の装置を撮影し、その画像データと、予め記憶されている３次元データと、に基づいてユーザ側で画像付３次元データを生成するように構成することもできる。
【００６６】
さらに、複数の画像データから画像付３次元データを生成するようにしていたが、１つの画像データから３次元データの各面の情報を得ることができるならば、１つの画像データに基づいて生成するものであっても構わない。
【００６７】
加えて、プロパティ情報を表示するポップアップとプロパティ情報を記入するポップアップを同時に表示できるようにしても構わない。
【００６８】
また、前記実施形態では、分析装置を装置としていたが、特に分析装置に限られるものではない。他の装置を実在の装置としても構わない。
【００６９】
前記実施形態では出力部の一例として表示部を挙げているが、要求されたプロパティ情報をプリンタで印刷するものであってもよい。
【００７０】
その構成は図示例に限られず、その他、本発明は、その趣旨を逸脱しない範囲で、種々変形が可能である。
【図面の簡単な説明】
【００７１】
【図１】本発明の一実施形態におけるナレッジ取得支援装置の画面の表示形態を示す模式図。
【図２】同実施形態におけるナレッジ取得支援装置の機能ブロック図。
【図３】同実施形態における画像データの一例を示す模式図。
【図４】同実施形態における３次元データの一例を示す模式図。
【図５】同実施形態における画像付３次元データの模式図。
【図６】同実施形態における画像付３次元データの別の模式図。
【図７】同実施形態におけるプロパティ情報を表示する場合の画面の表示形態を示す模式図。
【図８】同実施形態におけるプロパティ情報を追加する場合の画面の表示形態を示す模式図。
【符号の説明】
【００７２】
１００・・・ナレッジ取得支援装置
１・・・画像記憶部      
２・・・３次元データ記憶部
３・・・対応関係算定部
４・・・画像付３次元データ生成部
５・・・プロパティ情報記憶部
６・・・プロパティ情報受付部
Ｓ・・・表面画像情報
【図１】
2010026882.tif 000003
【図２】
2010026882.tif 000004
【図３】
2010026882.tif 000005
【図４】
2010026882.tif 000006
【図５】
2010026882.tif 000007
【図６】
2010026882.tif 000008
【図７】
2010026882.tif 000009
【図８】
2010026882.tif 000010